(57)【特許請求の範囲】
【請求項１】
上りリンク制御情報を基地局装置へ送信する移動局装置であって、
前記上りリンク制御情報がチャネル状態情報とＨＡＲＱにおける制御情報の場合に、物理上りリンク共用チャネルおよび物理上りリンク制御チャネルでの同時送信を行うあるサブフレームにおいて、前記チャネル状態情報を前記物理上りリンク共用チャネルで、前記ＨＡＲＱにおける制御情報を前記物理上りリンク制御チャネルで、前記基地局装置へ送信する第１の送信処理と、
物理上りリンク共用チャネルでの送信を行うあるサブフレームにおいて、前記上りリンク制御情報を前記物理上りリンク共用チャネルで、前記基地局装置へ送信する第２の送信処理と、
を実行する送信部を備え、
前記第１の送信処理と前記第２の送信処理は、前記基地局装置から受信したＲＲＣシグナリングに含まれる情報に基づいて実行される
ことを特徴とする移動局装置。
【請求項２】
前記チャネル状態情報は、前記移動局装置によって周期的に前記基地局装置へ送信される
ことを特徴とする請求項１に記載の移動局装置。
【請求項３】
前記ＨＡＲＱにおける制御情報は、下りリンクトランスポートブロックに対するＡＣＫ／ＮＡＣＫを示す情報を含む
ことを特徴とする請求項１または請求項２に記載の移動局装置。
【請求項４】
上りリンク制御情報を基地局装置へ送信する移動局装置の通信方法であって、
基地局装置からＲＲＣシグナリングを受信し、前記ＲＲＣシグナリングに含まれる情報に基づいて、
前記上りリンク制御情報がチャネル状態情報とＨＡＲＱにおける制御情報の場合に、物理上りリンク共用チャネルおよび物理上りリンク制御チャネルでの同時送信を行うあるサブフレームにおいて、前記チャネル状態情報を前記物理上りリンク共用チャネルで、前記ＨＡＲＱにおける制御情報を前記物理上りリンク制御チャネルで、前記基地局装置へ送信する第１の送信処理と、
物理上りリンク共用チャネルでの送信を行うあるサブフレームにおいて、前記上りリンク制御情報を前記物理上りリンク共用チャネルで、前記基地局装置へ送信する第２の送信処理と、
を実行する
ことを特徴とする通信方法。
【請求項５】
前記チャネル状態情報は、前記移動局装置によって周期的に前記基地局装置へ送信される
ことを特徴とする請求項４に記載の通信方法。
【請求項６】
前記ＨＡＲＱにおける制御情報は、下りリンクトランスポートブロックに対するＡＣＫ／ＮＡＣＫを示す情報を含む
ことを特徴とする請求項４または請求項５に記載の通信方法。
【請求項７】
上りリンク制御情報を基地局装置へ送信する移動局装置に搭載される集積回路であって、
前記上りリンク制御情報がチャネル状態情報とＨＡＲＱにおける制御情報の場合に、物理上りリンク共用チャネルおよび物理上りリンク制御チャネルでの同時送信を行うあるサブフレームにおいて、前記チャネル状態情報を前記物理上りリンク共用チャネルで、前記ＨＡＲＱにおける制御情報を前記物理上りリンク制御チャネルで、前記基地局装置へ送信する第１の送信処理と、
物理上りリンク共用チャネルでの送信を行うあるサブフレームにおいて、前記上りリンク制御情報を前記物理上りリンク共用チャネルで、前記基地局装置へ送信する第２の送信処理と、
を実行する機能を備え、
前記第１の送信処理と前記第２の送信処理は、前記基地局装置から受信したＲＲＣシグナリングに含まれる情報に基づいて実行される
ことを特徴とする集積回路。
【請求項８】
前記チャネル状態情報は、前記移動局装置によって周期的に前記基地局装置へ送信される
ことを特徴とする請求項７に記載の集積回路。
【請求項９】
前記ＨＡＲＱにおける制御情報は、下りリンクトランスポートブロックに対するＡＣＫ／ＮＡＣＫを示す情報を含む
ことを特徴とする請求項７または請求項８に記載の集積回路。
【発明の詳細な説明】
【技術分野】
【０００１】
本発明は、移動局装置、移動局装置の通信方法、及び移動局装置に搭載される集積回路に関する。
【背景技術】
【０００２】
３ＧＰＰ（3rd Generation Partnership Project）は、Ｗ−ＣＤＭＡ（Wideband-Code Division Multiple Access）と、ＧＳＭ（登録商標）（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」、もしくは、「ＥＵＴＲＡ（Evolved Universal Terrestrial Radio Access）」と呼称する。）、および、より広帯域な周波数帯域を利用して、さらに高速なデータの送受信を実現する移動通信システム（以下、「ＬＴＥ−Ａ（Long Term Evolution-Advanced）」、もしくは、「Ａｄｖａｎｃｅｄ−ＥＵＴＲＡ」と呼称する。）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Controlとも呼称される。）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、データ（情報）を送信する際のＰＡＰＲ（Peak to Average Power Ratio：ピーク電力対平均電力比）を低く抑えることができるという特徴を持っている。
【０００５】
また、ＬＴＥ−Ａでは、一般的な移動通信システムで使用する周波数帯域は連続であるのに対し、連続／不連続な複数の周波数帯域（以下、「キャリア要素、キャリアコンポーネント（ＣＣ：Carrier Component）」、もしくは、「要素キャリア、コンポーネントキャリア（ＣＣ：Component Carrier）」と呼称する。）を複合的に使用して、１つの周波数帯域（広帯域な周波数帯域）として運用する（周波数帯域集約：Spectrum aggregation、Carrier aggregation、Frequency aggregationなどとも呼称される。）ことが検討されている。さらに、基地局装置と移動局装置が、広帯域な周波数帯域をより柔軟に使用して通信するために、下りリンクの通信に使用する周波数帯域と上りリンクの通信に使用する周波数帯域を異なる周波数帯域幅とする（非対称周波数帯域集約：Asymmetric carrier aggregation）ことも提案されている（非特許文献１）。
【０００６】
図１７は、従来の技術における周波数帯域集約を説明する図である。図１７に示されるような下りリンク（ＤＬ：Down Link）の通信に使用する周波数帯域と上りリンク（ＵＬ：Up Link）の通信に使用する周波数帯域を同じ帯域幅とすることは、対称周波数帯域集約（Symmetric carrier aggregation）とも呼称される。図１７に示すように、基地局装置と移動局装置は、連続／不連続な周波数帯域である複数のキャリア要素を複合的に使用することによって、複数のキャリア要素から構成される広帯域な周波数帯域で通信を行うことができる。図１７では、例として、１００ＭＨｚの帯域幅を持った下りリンクの通信に使用する周波数帯域（以下、ＤＬシステム帯域、ＤＬシステム帯域幅とも呼称する）が、２０ＭＨｚの帯域幅を持った５つのキャリア要素（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用する周波数帯域（以下、ＵＬシステム帯域、ＵＬシステム帯域幅とも呼称する）が、２０ＭＨｚの帯域幅を持った５つのキャリア要素（ＵＣＣ１：Uplink Component Carrier１、ＵＣＣ２、ＵＣＣ３、ＵＣＣ４、ＵＣＣ５）によって構成されていることを示している。
【０００７】
図１７において、下りリンクのキャリア要素それぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置される。基地局装置は、ＰＤＳＣＨを使用して送信される下りリンクトランスポートブロックを送信するための制御情報（リソース割り当て情報、ＭＣＳ（Modulation and Coding Scheme、変調符号化方式）情報、ＨＡＲＱ（Hybrid Automatic Repeat Request、ハイブリッド自動再送要求）処理情報など）を、ＰＤＣＣＨを使用して移動局装置に送信し、ＰＤＳＣＨを使用して下りリンクトランスポートブロックを移動局装置に送信する。すなわち、図１７において、基地局装置は、同一サブフレームで、最大５つまでの下りリンクトランスポートブロックを移動局装置に送信することができる。
【０００８】
また、上りリンクのキャリア要素それぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置される。移動局装置は、ＰＵＣＣＨおよび／またはＰＵＳＣＨを使用して、物理下りリンク制御チャネルおよび／または下りリンクトランスポートブロックに対するＨＡＲＱにおける制御情報、チャネル状態情報、スケジューリング要求などの制御情報（制御信号）を基地局装置へ送信する。ここで、ＨＡＲＱにおける制御情報とは、物理下りリンク制御チャネルおよび／または下りリンクトランスポートブロックに対するＡＣＫ／ＮＡＣＫ（肯定応答：Positive Acknowledgement／否定応答：Negative Acknowledgement、ＡＣＫ信号またはＮＡＣＫ信号）を示す情報および／またはＤＴＸ（Discontinuous Transmission）を示す情報のことである。ＤＴＸとは、移動局装置が、基地局装置からのＰＤＣＣＨを検出できなかったことを示す情報である。ここで、図１７において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。
【０００９】
同様に、図１８は、従来の技術における非対称周波数帯域集約（Asymmetric carrier aggregation）を説明する図である。図１８に示すように、基地局装置と移動局装置は、下りリンクの通信に使用する周波数帯域と上りリンクの通信に使用する周波数帯域を異なる帯域幅とし、これらの周波数帯域を構成するキャリア要素を複合的に使用して広帯域な周波数帯域で通信を行うことができる。図１８では、例として、１００ＭＨｚの帯域幅を持った下りリンクの通信に使用する周波数帯域が、２０ＭＨｚの帯域幅を持った５つのキャリア要素（ＤＣＣ１、ＤＣＣ２、ＤＣＣ３、ＤＣＣ４、ＤＣＣ５）によって構成され、また、４０ＭＨｚの帯域幅を持った上りリンクの通信に使用する周波数帯域が、２０ＭＨｚの帯域幅を持った２つのキャリア要素（ＵＣＣ１、ＵＣＣ２）によって構成されていることを示している。図１８において、下りリンク／上りリンクのキャリア要素のそれぞれには、下りリンク／上りリンクのチャネルが配置され、基地局装置は、複数のＰＤＣＣＨで割り当てた複数のＰＤＳＣＨを使用して、同一サブフレームで複数の下りリンクトランスポートブロックを移動局装置へ送信する。また、移動局装置は、ＰＵＣＣＨおよび／またはＰＵＳＣＨを使用して、ＨＡＲＱにおける制御情報、チャネル状態情報、スケジューリング要求などの制御情報（制御信号）を基地局装置へ送信する。
【先行技術文献】
【非特許文献】
【００１０】
【非特許文献１】"Initial Access Procedure for Asymmetric Wider Bandwidth in LTE-Advanced", 3GPP TSG RAN WG1 Meeting #55, R1-084249, November 10-14, 2008.
【発明の概要】
【発明が解決しようとする課題】
【００１１】
本発明は、このような事情に鑑みてなされたものであり、基地局装置と移動局装置が、キャリア要素を複合的に使用して広帯域な周波数帯域で通信を行う際に、移動局装置における送信電力を低く抑えた複数のＰＵＳＣＨ、ＰＵＣＣＨによるデータの送信を可能とする移動局装置、移動局装置の通信方法、及び移動局装置に搭載される集積回路を提供することを目的とする。
【課題を解決するための手段】
【００１２】
（１）上記の目的を達成するために、本発明は、以下のような手段を講じた。すなわち、本発明の移動局装置は、上りリンク制御情報を基地局装置へ送信する移動局装置であって、  物理上りリンク共用チャネルでの送信を行うサブフレームにおいて、前記基地局装置へ送信する前記上りリンク制御情報がチャネル状態情報とＨＡＲＱにおける制御情報の場合に、  前記基地局装置からの設定に基づいて、前記チャネル状態情報を前記物理上りリンク共用チャネルで、前記ＨＡＲＱにおける制御情報を物理上りリンク制御チャネルで前記基地局装置へ送信するか、または、前記チャネル状態情報および前記ＨＡＲＱにおける制御情報を前記物理上りリンク共用チャネルで前記基地局装置へ送信することを特徴としている。
【００１３】
（２）また、上記移動局装置において、前記チャネル状態情報は、前記移動局装置によって周期的に前記基地局装置へ送信されることを特徴としている。
【００１４】
（３）また、上記移動局装置において、前記ＨＡＲＱにおける制御情報は、下りリンクトランスポートブロックに対するＡＣＫ／ＮＡＣＫを示す情報を含むことを特徴としている。
【００１５】
（４）また、本発明の通信方法は、上りリンク制御情報を基地局装置へ送信する移動局装置の通信方法であって、物理上りリンク共用チャネルでの送信を行うサブフレームにおいて、前記基地局装置へ送信する前記上りリンク制御情報がチャネル状態情報とＨＡＲＱにおける制御情報の場合に、前記基地局装置からの設定に基づいて、前記チャネル状態情報を前記物理上りリンク共用チャネルで、前記ＨＡＲＱにおける制御情報を物理上りリンク制御チャネルで前記基地局装置へ送信するか、または、前記チャネル状態情報および前記ＨＡＲＱにおける制御情報を前記物理上りリンク共用チャネルで前記基地局装置へ送信することを特徴としている。
【００１６】
（５）また、上記通信方法において、前記チャネル状態情報は、前記移動局装置によって周期的に前記基地局装置へ送信されることを特徴としている。
【００１７】
（６）また、上記通信方法において、前記ＨＡＲＱにおける制御情報は、下りリンクトランスポートブロックに対するＡＣＫ／ＮＡＣＫを示す情報を含むことを特徴としている。
【００１８】
（７）また、本発明の集積回路は、上りリンク制御情報を基地局装置へ送信する移動局装置に搭載される集積回路であって、物理上りリンク共用チャネルでの送信を行うサブフレームにおいて、前記基地局装置へ送信する前記上りリンク制御情報がチャネル状態情報とＨＡＲＱにおける制御情報の場合に、前記基地局装置からの設定に基づいて、前記チャネル状態情報を前記物理上りリンク共用チャネルで、前記ＨＡＲＱにおける制御情報を物理上りリンク制御チャネルで前記基地局装置へ送信するか、または、前記チャネル状態情報および前記ＨＡＲＱにおける制御情報を前記物理上りリンク共用チャネルで前記基地局装置へ送信する機能を備えることを特徴としている。
【００１９】
（８）また、上記集積回路において、前記チャネル状態情報は、前記移動局装置によって周期的に前記基地局装置へ送信されることを特徴としている。
【００２０】
（９）また、上記集積回路において、前記ＨＡＲＱにおける制御情報は、下りリンクトランスポートブロックに対するＡＣＫ／ＮＡＣＫを示す情報を含むことを特徴としている。
【発明の効果】
【００２１】
本発明によれば、基地局装置と移動局装置が、連続／不連続な複数の周波数帯域（キャリア要素）を複合的に使用して広帯域な周波数帯域で通信を行う際に、移動局装置における送信電力を低く抑えた複数のＰＵＳＣＨ、ＰＵＣＣＨを使用した情報の送受信を可能とすることができる。
【図面の簡単な説明】
【００２２】
【図１】本発明の実施形態に係る物理チャネルの構成を概念的に示す図である。
【図２】本発明の実施形態に係る基地局装置１００の概略構成を示すブロック図である。
【図３】本発明の実施形態に係る移動局装置２００の概略構成を示すブロック図である。
【図４】第１の実施形態が適用可能な移動通信システムの例を示す図である。
【図５】第１の実施形態が適用可能な移動通信システムの例を示す別の図である。
【図６】物理上りリンク共用チャネルが割り当てられた際の移動局装置の動作の例を説明する図である。
【図７】物理上りリンク共用チャネルが割り当てられた際の移動局装置の動作の例を説明する別の図である。
【図８】第２の実施形態が適用可能な移動通信システムの例を示す図である。
【図９】物理上りリンク共用チャネルが割り当てられた際の移動局装置の動作の例を説明する別の図である。
【図１０】物理上りリンク共用チャネルが割り当てられた際の移動局装置の動作の例を説明する別の図である。
【図１１】第１の制御情報と上りリンクデータの配置の例を説明する図である。
【図１２】第１の制御情報と上りリンクデータの配置の例を説明する別の図である。
【図１３】第１の制御情報と上りリンクデータの配置の例を説明する別の図である。
【図１４】物理上りリンク共用チャネルが割り当てられた際の移動局装置の動作の例を説明する別の図である。
【図１５】物理上りリンク共用チャネルが割り当てられた際の移動局装置の動作の例を説明する別の図である。
【図１６】第１の制御情報と第２の制御情報と上りリンクデータの配置の例を説明する図である。
【図１７】従来の技術における周波数帯域集約の例を示す図である。
【図１８】従来の技術における非対称周波数帯域集約の例を示す図である。
【発明を実施するための形態】
【００２３】
次に、本発明に係る実施形態について、図面を参照しながら説明する。図１は、本発明の実施形態におけるチャネルの一構成例を示す図である。下りリンクの物理チャネルは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）によって構成される。
【００２４】
物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行なわない。また、物理報知チャネル（ＰＢＣＨ）を含むサブフレームは、そのサブフレームだけで復号できる（自己復号可能：self-decodable）。
【００２５】
物理下りリンク制御チャネル（ＰＤＣＣＨ）は、物理下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可を移動局装置に通知（送信）するために使用されるチャネルである。ＰＤＤＣＨは、複数の制御チャネル要素（ＣＣＥ：Control Channel Element）によって構成され、移動局装置は、このＣＣＥで構成されるＰＤＣＣＨを検出することによって、基地局装置からのＰＤＣＣＨを受信する。このＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、1サブキャリア（周波数成分）で構成される単位リソースであり、例えば、ＲＥＧは、同一ＯＦＤＭシンボル内の周波数領域において、下りリンクパイロットチャネルを除いて、周波数領域で連続する４個の下りリンクのリソースエレメントによって構成される。また、例えば、１つのＰＤＣＣＨは、ＣＣＥを識別する番号（ＣＣＥインデックス）が連続する１個、２個、４個、８個のＣＣＥによって構成される。
【００２６】
また、ＰＤＣＣＨは、移動局装置ごと、種別ごとに別々に符号化（Separate Coding）される。すなわち、移動局装置は、複数のＰＤＣＣＨを検出して、下りリンクまたは上りリンクのリソース割り当てや、その他の制御信号を示す情報を取得する。各ＰＤＣＣＨには、フォーマットを識別可能なＣＲＣ（巡回冗長検査）の値が付与されており、移動局装置は、ＰＤＣＣＨが構成されうるＣＣＥのセットのそれぞれに対してＣＲＣを行い、ＣＲＣが成功したＰＤＣＣＨを取得する。これは、ブラインドデコーディング（blind decoding）とも呼称され、移動局装置が、このブラインドデコーディングを行うＰＤＣＣＨが構成されうるＣＣＥのセットの範囲は、検索領域（Search Space）と呼ばれる。すなわち、移動局装置は、検索領域内のＣＣＥに対して、ブラインドデコーディングを行い、ＰＤＣＣＨの検出を行う。
【００２７】
移動局装置は、ＰＤＣＣＨに物理下りリンク共用チャネル（ＰＤＳＣＨ）のリソース割り当てが含まれる場合、基地局装置からのＰＤＣＣＨによって指示されたリソース割り当てに応じて、物理下りリンク共用チャネル（ＰＤＳＣＨ）を使用してデータ（下りリンクデータ（下りリンク共用チャネル（ＤＬ−ＳＣＨ））、および／または、下りリンク制御データ（下りリンク制御情報））を受信する。すなわち、このＰＤＣＣＨは、下りリンクに対するリソース割り当てを行なう信号（以下、「下りリンク送信許可信号」または「下りリンクグラント」と呼称する。）である。また、移動局装置は、ＰＤＣＣＨに物理上りリンク共用チャネル（ＰＵＳＣＨ）のリソース割り当てが含まれる場合、基地局装置からのＰＤＣＣＨによって指示されたリソース割り当てに応じて、物理上りリンク共用チャネル（ＰＵＳＣＨ）を使用してデータ（上りリンクデータ（上りリンク共用チャネル（ＵＬ−ＳＣＨ））、および／または、上りリンク制御データ（上りリンク制御情報））を送信する。すなわち、このＰＤＣＣＨは、上りリンクに対するデータ送信を許可する信号（以下、「上りリンク送信許可信号」または「上りリンクグラント」と呼称する。）である。
【００２８】
物理下りリンク共用チャネル（ＰＤＳＣＨ）は、下りリンクデータ（下りリンク共用チャネル：ＤＬ−ＳＣＨ）またはページング情報（ページングチャネル：ＰＣＨ）を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００２９】
ここで、下りリンクデータ（ＤＬ−ＳＣＨ）とは、例えば、ユーザーデータの送信を示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００３０】
物理上りリンク共用チャネル（ＰＵＳＣＨ）は、主に、上りリンクデータ（上りリンク共用チャネル：ＵＬ−ＳＣＨ）を送信するために使用されるチャネルである。また、基地局装置が、移動局装置をスケジューリングした場合には、制御情報（制御信号）もＰＵＳＣＨを使用して送信される。この制御情報には、下りリンクのチャネル状態を示すチャネル状態情報ＣＳＩ（Channel State information、もしくは、Channel statistical information）や、下りリンクのチャネル品質識別子ＣＱＩ（Channel Quality Indicator）、プレコーディングマトリックス識別子ＰＭＩ（Precoding Matrix Indicator）、ランク識別子ＲＩ（Rank Indicator）や、ＰＤＣＣＨおよび／または下りリンクトランスポートブロックに対するＨＡＲＱにおける制御情報（ＡＣＫ／ＮＡＣＫを示す情報および／またはＤＴＸを示す情報）が含まれる。ここで、チャネル状態情報ＣＳＩには、例えば、移動局装置が、測定した下りリンクのチャネル状態そのもの（測定した下りリンクのチャネル状態を固有ファクター等で表現したもの）である明示的なチャネル状態情報（Explicit CSI）も含まれる。ＣＱＩ、ＰＭＩ、ＲＩなどは、暗示的なチャネル状態情報（Implicit CSI）とも呼ばれる。
【００３１】
ここで、上りリンクデータ（ＵＬ−ＳＣＨ）とは、例えば、ユーザーデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００３２】
また、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する。）、ＭＡＣ（Medium Access Control）コントロールエレメントなどが含まれていても良い。
【００３３】
物理上りリンク制御チャネル（ＰＵＣＣＨ）は、制御情報（制御信号）を送信するために使用されるチャネルである。ここで制御情報とは、例えば、移動局装置から基地局装置へ送信（フィードバック）されるチャネル状態情報ＣＳＩ、下りリンクのチャネル品質識別子ＣＱＩ、プレコーディングマトリックス識別子ＰＭＩ、ランク識別子ＲＩや、移動局装置が上りリンクデータを送信するためのリソースの割り当てを要求する（ＵＬ−ＳＣＨでの送信を要求する）スケジューリング要求（ＳＲ: Scheduling Request）、ＰＤＣＣＨおよび／または下りリンクトランスポートブロックに対するＨＡＲＱにおける制御情報（ＡＣＫ／ＮＡＣＫを示す情報および／またはＤＴＸを示す情報）が含まれる。
【００３４】
物理制御フォーマット指示チャネル（ＰＣＦＩＣＨ）は、ＰＤＣＣＨのために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンクデータのＨＡＲＱに使用されるＡＣＫ／ＮＡＣＫを送信するために利用するチャネルである。物理ランダムアクセスチャネル（ＰＲＡＣＨ）は、ランダムアクセスプリアンブルを送信するために使用されるチャネルであり、ガードタイムを持つ。図１に示すように、本実施形態に係る移動通信システムは、基地局装置１００と、移動局装置２００と、から構成される。
【００３５】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００３６】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００３７】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００３８】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００３９】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００４０】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００４１】
スケジューリング部１０４は、下りリンクのスケジューリングでは、移動局装置２００から受信したフィードバック情報（上りリンクのチャネル状態情報（ＣＱＩ、ＰＭＩ、ＲＩ）や、下りリンクデータに対するＡＣＫ／ＮＡＣＫ情報など）、各移動局装置の使用可能なＰＲＢの情報、バッファ状況、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００４２】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００４３】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００４４】
チャネル推定部１０５は、上りリンクデータの復調のために、上りリンク復調用参照信号（ＤＲＳ：Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００４５】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００４６】
データ抽出部１０７は、受信データ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から通知されたチャネル状態情報ＣＳＩや、下りリンクのチャネル品質識別子ＣＱＩ、プレコーディングマトリックス識別子ＰＭＩ、ランク識別子ＲＩや、ＨＡＲＱにおける制御情報、スケジューリング要求などが含まれている。
【００４７】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００４８】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００４９】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００５０】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００５１】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００５２】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００５３】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００５４】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００５５】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００５６】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００５７】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報ＣＳＩや、下りリンクのチャネル品質識別子ＣＱＩ、プレコーディングマトリックス識別子ＰＭＩ、ランク識別子ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００５８】
チャネル推定部２０５は、下りリンクデータの復調のために、下りリンク参照信号（ＲＳ）から下りリンクのチャネル状態を推定し、その推定結果を受信データ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態情報ＣＳＩや、下りリンクのチャネル品質識別子ＣＱＩ、プレコーディングマトリックス識別子ＰＭＩ、ランク識別子ＲＩとして、スケジューリング部２０４に出力する。
【００５９】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００６０】
データ抽出部２０７は、受信データ復調部２０６から入力されたデータに対して、ＣＲＣチェックを行ない、正誤を確認するとともに、確認結果（肯定応答ＡＣＫ／否定応答ＮＡＣＫ）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００６１】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００６２】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００６３】
（第１の実施形態）
次に、基地局装置１００および移動局装置２００を用いた移動通信システムにおける第１の実施形態を説明する。第１の実施形態では、基地局装置は、移動局装置が、第１の制御情報を送信するための第１の物理上りリンク制御チャネル（ＰＵＣＣＨ）を、無線資源制御信号（ＲＲＣシグナリング）を使用して持続的（永続的）に移動局装置に対して割り当て、移動局装置が、第２の制御情報を送信するための第２の物理上りリンク制御チャネル（ＰＵＣＣＨ）を、物理下りリンク制御チャネル（ＰＤＣＣＨ）に関連付けて動的に移動局装置に対して割り当て、移動局装置は、基地局装置によって物理上りリンク共用チャネル（ＰＵＳＣＨ）が割り当てられた場合には、第１の制御情報を物理上りリンク共用チャネル（ＰＵＳＣＨ）を使用して、第２の制御情報を第２の物理上りリンク制御チャネル（ＰＵＣＣＨ）を使用して、同一サブフレームで共に基地局装置へ送信することができる。
【００６４】
ここで、第１の制御情報とは、移動局装置から基地局装置へ送信（フィードバック）される下りリンクのチャネル状態を示すチャネル状態情報（ＣＳＩ）を含んでいる。また、第１の制御情報は、移動局装置が、上りリンクデータを送信するためのリソースの割り当てを要求するスケジューリング要求（ＳＲ）を含んでいる。また、第１の制御情報は、チャネル品質識別子（ＣＱＩ）を含んでいる。また、第１の制御情報は、ランク識別子（ＲＩ）を含んでいる。また、第１の制御情報は、プレコーディングマトリックス識別子（ＰＭＩ）を含んでいる。また、第１の制御情報は、基地局装置によって持続的に割り当てられたリソースで送信される下りリンクトランスポートブロックに対するＨＡＲＱにおける制御情報を含んでも良い。
【００６５】
また、第２の制御情報とは、ＰＤＣＣＨおよび／もしくは下りリンクトランスポートブロックに対するＨＡＲＱにおける制御情報（制御信号）を含んでいる。すなわち、第２の制御情報は、基地局装置によって動的に割り当てられたリソースで送信されるＰＤＣＣＨチャネルおよび／もしくは下りリンクトランスポートブロックに対するＨＡＲＱにおける制御情報を含んでおり、また、第２の制御情報は、基地局装置によって持続的に割り当てられたリソースで送信される下りリンクトランスポートブロックに対するＨＡＲＱにおける制御情報を含んでも良い。ここで、ＨＡＲＱにおける制御情報とは、ＰＤＣＣＨおよび／または下りリンクトランスポートブロックに対するＡＣＫ／ＮＡＣＫを示す情報および／またはＤＴＸを示す情報のことである。ＤＴＸとは、移動局装置が、基地局装置からのＰＤＣＣＨを検出できなかったことを示す情報である。本実施形態において、持続的（永続的）に割り当てられる第１のＰＵＣＣＨとは、例えば、基地局装置からのＲＲＣシグナリングによって、１００ｍｓ程度の間隔で割り当てられるＰＵＣＣＨを示しており（パーシステント：persistentに割り当てられるＰＵＣＣＨとも呼称される）、基地局装置と移動局装置は、ＲＲＣシグナリングで割り当てられたＰＵＣＣＨをある程度の期間（例えば、１００ｍｓ程度）確保して、割り当てられたＰＵＣＣＨを使用してデータの送受信を行う。一方、動的に割り当てられる第２のＰＵＣＣＨとは、例えば、基地局装置からのＰＤＣＣＨに関連付けられて、１ｍｓ程度の間隔で割り当てられるＰＵＣＣＨを示している（ダイナミック：Dynamicに割り当てられるＰＵＣＣＨとも呼称される）。
【００６６】
以下、本実施形態では、周波数帯域は、帯域幅（Ｈｚ）で定義されているが、周波数と時間で構成されるリソースブロック（ＲＢ）の数で定義されても良い。本実施形態におけるキャリア要素とは、（広帯域な）システム帯域（周波数帯域）を持った移動通信システムにおいて、基地局装置と移動局装置が通信を行なう際に使用する（狭帯域な）周波数帯域を示している。基地局装置と移動局装置は、複数のキャリア要素（例えば、２０ＭＨｚの帯域幅を持った５つの周波数帯域）を集約する(周波数帯域集約：carrier aggregation）ことによって、（広帯域な）システム帯域（例えば、１００ＭＨｚの帯域幅を持ったＤＬシステム帯域／ＵＬシステム帯域）を構成し、これら複数のキャリア要素を複合的に使用することによって、高速なデータ通信（情報の送受信）を実現することができる。
【００６７】
キャリア要素とは、この（広帯域な）システム帯域（例えば、１００ＭＨｚの帯域幅を持ったＤＬシステム帯域／ＵＬシステム帯域）を構成する（狭帯域な）周波数帯域（例えば、２０ＭＨｚの帯域幅を持った周波数帯域）それぞれのことを示している。すなわち、下りリンクのキャリア要素は、基地局装置と移動局装置が、下りリンクの情報を送受信する際に使用可能な周波数帯域の中の一部の帯域幅を有し、上りリンクのキャリア要素は、基地局装置と移動局装置が、上りリンクの情報を送受信する際に使用可能な周波数帯域の中の一部の帯域幅を有している。また、キャリア要素は、ある特定の物理チャネル（例えば、ＰＤＣＣＨ、ＰＵＣＣＨなど）が構成される単位として定義されてもよい。
【００６８】
また、キャリア要素は、連続な周波数帯域に配置されていても、不連続な周波数帯域に配置されていてもよく、基地局装置と移動局装置は、連続および／または不連続な周波数帯域である複数のキャリア要素を集約することによって、広帯域なシステム帯域（周波数帯域）を構成し、複数のキャリア要素を複合的に使用することによって、高速なデータ通信（情報の送受信）を実現することができる。さらに、キャリア要素によって構成される下りリンクの周波数帯域（ＤＬシステム帯域、ＤＬシステム帯域幅）および下りリンクの周波数帯域（ＵＬシステム帯域、ＵＬシステム帯域幅）は、同じ帯域幅である必要はなく、基地局装置と移動局装置は、キャリア要素によって構成される異なる帯域幅を持った下りリンクの周波数帯域、下りリンクの周波数帯域を使用して通信を行なうことができる（上述した非対称周波数帯域集約：Asymmetric carrier aggregation）。
【００６９】
図４は、第１の実施形態が適用可能な移動通信システムの例を示す図である。以下、第１の実施形態は、図４に示すような非対称周波数帯域集約された移動通信システムについて説明するが、本実施形態は、対称周波数帯域集約された移動通信システムについても適用可能である。図４は、本実施形態を説明する例として、８０ＭＨｚの帯域幅を持った下りリンクの通信に使用される周波数帯域（ＤＬシステム帯域）が、それぞれ２０ＭＨｚの帯域幅を持った４つの下りリンクのキャリア要素（ＤＣＣ１、ＤＣＣ２、ＤＣＣ３、ＤＣＣ４）によって構成されていることを示している。また、例として、４０ＭＨｚの帯域幅を持った上りリンクの通信に使用される周波数帯域（ＵＬシステム帯域）が、それぞれ２０ＭＨｚの帯域幅を持った２つの上りリンクのキャリア要素（ＵＣＣ１、ＵＣＣ２）によって構成されていることを示している。図４において、下りリンク／上りリンクのキャリア要素のそれぞれにはＰＤＣＣＨ、ＰＤＳＣＨ、ＰＵＣＣＨ、ＰＵＳＣＨ等の下りリンク／上りリンクのチャネルが配置される。ここで、図４において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。
【００７０】
図４において、基地局装置は、移動局装置が、第１の制御情報を送信するための第１のＰＵＣＣＨ（横線で示されるＰＵＣＣＨ）を、ＲＲＣシグナリングを使用して持続的に割り当てていることを示している。また、基地局装置は、第２の制御情報を送信するための第２のＰＵＣＣＨ（それぞれ斜線、格子線、網線で示されるＰＵＣＣＨ）を、ＰＤＣＣＨ（それぞれ斜線、格子線、網線で示されるＰＤＣＣＨ）に関連付けて動的に割り当てていることを示している。
【００７１】
例えば、基地局装置は、下りリンクの１つのキャリア要素内に配置された１つ（斜線で示されるＰＤＣＣＨ）、もしくは、複数のＰＤＣＣＨ（それぞれ格子線、網線で示されるＰＤＣＣＨ）のＰＤＣＣＨリソース（ＰＤＣＣＨリソース領域）における位置に関連付けて、移動局装置が、第２の制御情報を送信するための第２のＰＵＣＣＨを動的に割り当てる（指示する）ことができる（ＰＵＣＣＨリソース領域のどの領域に配置されたＰＵＣＣＨを使用して、第２の制御情報を送信するのかを指示することができる）。ここで、ＰＵＣＣＨリソース（ＰＵＣＣＨリソース領域）は、例えば、基地局装置によって、報知チャネル、もしくは、ＲＲＣシグナリングを使用して、セル固有に、もしくは、移動局装置固有に設定される。すなわち、移動局装置は、下りリンクの１つのキャリア要素内に配置された１つ、もしくは、複数のＰＤＣＣＨが、ＰＤＣＣＨリソース（ＰＤＣＣＨリソース領域）内にどのように配置されているのかに応じて、ＰＵＣＣＨリソース（ＰＵＣＣＨリソース領域）内のＰＵＣＣＨに、第２の制御情報を配置して基地局装置へ送信することができる。ここで、下りリンクの１つのキャリア要素内に配置された１つ、もしくは、複数のＰＤＣＣＨと、それぞれのＰＵＣＣＨの対応は、例えば、それぞれのＰＤＣＣＨを構成するＣＣＥの先頭のＣＣＥインデックスと、それぞれのＰＵＣＣＨのインデックスを対応付けることによって規定される（図４では、斜線で示されるＰＤＣＣＨを構成するＣＣＥの先頭のＣＣＥインデックスと斜線で示されるＰＵＣＣＨのインデックス、格子線で示されるＰＤＣＣＨを構成するＣＣＥの先頭のＣＣＥインデックスと格子線で示されるＰＵＣＣＨのインデックス、網線で示されるＰＤＣＣＨを構成するＣＣＥの先頭のＣＣＥインデックスと網線で示されるＰＵＣＣＨのインデックスが対応していることを示している）。
【００７２】
図４において、基地局装置は、複数のＰＤＣＣＨを使用して複数のＰＤＳＣＨを割り当て、複数の下りリンクトランスポートブロックを送信するための制御情報（リソース割り当て情報、ＭＣＳ情報、ＨＡＲＱ処理情報など）を移動局装置へ送信する（複数のＰＤＣＣＨを使用して、複数のＰＤＳＣＨを移動局装置に割り当てる）。さらに、基地局装置は、複数のＰＤＳＣＨを使用して、複数の下りリンクトランスポートブロックを同一サブフレームで移動局装置へ送信する。図４では、例として、基地局装置が、ＤＣＣ１に配置されたＰＤＣＣＨ（斜線で示されるＰＤＣＣＨ）を使用して、ＤＣＣ１に配置されるＰＤＳＣＨを割り当て、ＤＣＣ３に配置されたＰＤＣＣＨ（それぞれ格子線、網線で示されるＰＤＣＣＨ）を使用して、ＤＣＣ３、ＤＣＣ４に配置されるＰＤＳＣＨを割り当てていることを示している。さらに、基地局装置は、ＤＣＣ１、ＤＣＣ３、ＤＣＣ４に配置されたＰＤＳＣＨを使用して、（最大３つまでの）下りリンクトランスポートブロックを同一サブフレームで移動局装置へ送信できることを示している。
【００７３】
移動局装置は、ＲＲＣシグナリングで持続的に割り当てられた第１のＰＵＣＣＨ（横線で示されるＰＵＣＣＨ）を使用して、第１の制御情報を基地局装置へ送信する。例えば、移動局装置は、持続的に割り当てられた第１のＰＵＣＣＨを使用して、チャネル状態情報（第１の制御情報）を周期的に基地局装置へ送信することができる。また、例えば、移動局装置は、持続的に割り当てられた第１のＰＵＣＣＨを使用して、スケジューリング要求（第１の制御情報）を、上りリンクデータを送信するためのリソースの割り当てを要求する際に基地局装置へ送信することができる。
【００７４】
さらに、移動局装置は、ＰＤＣＣＨに関連付けて動的に割り当てられた第２のＰＵＣＣＨ（それぞれ斜線、格子線、網線で示されるＰＵＣＣＨ）を使用して、第２の制御情報を基地局装置へ送信する。例えば、移動局装置は、動的に割り当てられた第２のＰＵＣＣＨを使用して、複数のＰＤＣＣＨおよび／または複数の下りリンクトランスポートブロックに対するＨＡＲＱにおける制御情報（第２の制御情報）を、バンドリング（bundling：束にして、塊にして）、もしくは、多重して（multiplexing、複数ビットを使用して）、基地局装置へ送信することができる。
【００７５】
すなわち、移動局装置は、ＨＡＲＱにおける制御情報（第２の制御情報）をバンドリングして基地局装置へ送信する場合、複数のＰＤＣＣＨおよび／または複数の下りリンクトランスポートブロックそれぞれに対するＨＡＲＱにおける制御情報から、１つのＨＡＲＱにおける制御情報を算出（生成）し、算出した１つのＨＡＲＱにおける制御情報を基地局装置へ送信することができる。例えば、移動局装置は、複数の下りリンクトランスポートブロックそれぞれに対するＨＡＲＱのＡＣＫ／ＮＡＣＫを示す情報から論理和を算出し、１つのＡＣＫ／ＮＡＣＫを示す情報として基地局装置へ送信することができる。図４では、移動局装置は、基地局装置からＤＣＣ１、ＤＣＣ２、ＤＣＣ４のＰＤＳＣＨを使用して同一サブフレームで送信された複数の下りリンクトランスポートブロックそれぞれに対するＨＡＲＱのＡＣＫ／ＮＡＣＫを示す情報の論理和を算出し、１つのＡＣＫ／ＮＡＣＫを示す情報として基地局装置へ送信することを示している。
【００７６】
また、移動局装置が、ＨＡＲＱにおける制御情報（第２の制御情報）を多重して基地局装置へ送信する場合、複数のＰＤＣＣＨおよび／または複数の下りリンクトランスポートブロックそれぞれに対するＨＡＲＱにおける制御情報の、すべての組み合わせを表現する複数の制御情報を用いて、基地局装置へ送信することができる（すべての組み合わせを表現するために必要な情報以下の複数の制御情報を用いて基地局装置へ送信しても良い）。例えば、移動局装置は、複数の下りリンクトランスポートブロックそれぞれに対するＨＡＲＱのＡＣＫ／ＮＡＣＫを示す情報のすべての組み合わせを、複数ビットを用いて表現し、基地局装置へ送信することができる。図４では、移動局装置は、基地局装置からＤＣＣ１、ＤＣＣ２、ＤＣＣ４で送信された複数のＰＤＣＣＨおよび／または複数の下りリンクトランスポートブロックそれぞれに対するＨＡＲＱにおける制御情報のすべての組み合わせを、複数ビットを用いて表現し、基地局装置へ送信することを示している。
【００７７】
ここで、移動局装置は、ＨＡＲＱにおける制御情報（第２の制御情報）をバンドリング、もしくは、多重して基地局装置へ送信する場合、複数のＰＵＣＣＨ（それぞれ斜線、格子線、網線で示されるＰＵＣＣＨ）のいずれかのＰＵＣＣＨを使用して、基地局装置へ送信する（例えば、複数のＰＵＣＣＨのいずれかのＰＵＣＣＨを使用して、１ビットまたは２ビットの情報を基地局装置へ送信する）。この際、移動局装置は、複数のＰＤＣＣＨがＰＤＣＣＨリソース（ＰＤＣＣＨリソース領域）内でどのように配置されているのか（複数のＰＤＣＣＨのＰＤＣＣＨリソースにおける位置および個数）に応じて規定される複数のＰＵＣＣＨの中で、どのＰＵＣＣＨを使用して情報を送信したのかによって、さらに、数ビット分の情報を含めて基地局装置へ送信することができる（ＰＵＣＣＨの配置可能な領域の中で、どのＰＵＣＣＨの領域を使用して情報を送信したのかによって、さらに、数ビット分の情報を含めて基地局装置へ送信することができる）。例えば、図４において、移動局装置は、３つのＰＵＣＣＨ（それぞれ斜線、格子線、斜線で示されるＰＵＣＣＨ）それぞれで２ビットの情報（４種類の情報）を送信可能な場合に、さらに、３つのＰＵＣＣＨの中のどのＰＵＣＣＨを使用したのか（３つのＰＵＣＣＨに対するチャネル選択を行うこと）によって、合計１２種類の情報を基地局装置へ送信することができる。移動局装置が、このように情報を送信することによって、より多くの情報を基地局装置へ送信することが可能となり、例えば、移動局装置は、基地局装置から送信される複数のＰＤＣＣＨに対してどのＰＤＣＣＨまで受信（検出）できたのかを示す情報や、ＨＡＲＱにおける制御情報（第２の制御情報）を表現する、より多くの組み合わせを基地局装置へ送信することができる。
【００７８】
図５は、基地局装置が、ＲＲＣシグナリングによって持続的に割り当てる第１のＰＵＣＣＨ（横線で示されるＰＵＣＣＨ）、および、ＰＤＣＣＨに関連付けて動的に割り当てる第２のＰＵＣＣＨ（それぞれ斜線、格子線、網線で示されるＰＵＣＣＨ）を概念的に示す図である。図５では、例として、上りリンクのキャリア要素（ＵＣＣ１、ＵＣＣ２）それぞれに“３ｘ４＝１２”の大きさを持ったＰＵＣＣＨリソース（ＰＵＣＣＨリソース領域）が２つずつ存在していることを示している（ＵＣＣ１、ＵＣＣ２それぞれの両端部分（エッジ部分）に分散して配置された２つのＰＵＣＣＨで、合計“２４”の大きさを持ったＰＵＣＣＨリソースが存在していることを示している）。本実施形態において、基地局装置が割り当てるＰＵＣＣＨおよびＰＵＳＣＨのリソースは、周波数リソース、時間リソース、符号リソースを含んでいる。
【００７９】
図５において、基地局装置は、第１のＰＵＣＣＨとして、ＵＣＣ２に配置された“３”の大きさを持ったＰＵＣＣＨ（横線で示されるＰＵＣＣＨ）を持続的に割り当てていることを示している。また、基地局装置は、第２のＰＵＣＣＨとして、ＵＣＣ１、ＵＣＣ２に配置されたそれぞれ“１”の大きさを持ったＰＵＣＣＨ（それぞれ斜線、格子線、網線で示されるＰＵＣＣＨ）を動的に割り当てていることを示している。移動局装置は、ＵＣＣ２に配置された第１のＰＵＣＣＨを使用して第１の制御情報を、ＵＣＣ１、ＵＣＣ２に配置された第２のＰＵＣＣＨのいずれかのＰＵＣＣＨを使用して第２の制御情報を、同一サブフレームで共に基地局装置へ送信することができる（複数のＰＵＣＣＨの同時送信を行うことができる）。例えば、図５において、移動局装置は、ＵＣＣ２に配置された第１のＰＵＣＣＨを使用してチャネル状態情報（第１の制御情報）を、ＵＣＣ１、ＵＣＣ２に配置された第２のＰＵＣＣＨのいずれかのＰＵＣＣＨを使用してＨＡＲＱにおける制御情報（第２の制御情報）を、基地局装置へ同時送信することができる。また、例えば、移動局装置は、ＵＣＣ２に配置された第１のＰＵＣＣＨを使用してスケジューリング要求（第１の制御情報を）、ＵＣＣ１、ＵＣＣ２に配置された第２のＰＵＣＣＨのいずれかのＰＵＣＣＨを使用してＨＡＲＱにおける制御情報（第２の制御情報）を、基地局装置へ同時送信することができる。
【００８０】
図６は、移動局装置が第１の制御情報、第２の制御情報を送信する際に、基地局装置によって、物理上りリンク共用チャネル（ＰＵＳＣＨ）が割り当てられていた場合の移動局装置の動作を説明する図である。以下、本実施形態では、説明を分かり易くするために、移動局装置は、ＵＣＣ１に配置された斜線で示されるＰＵＣＣＨ（図５の斜線で示される第２のＰＵＣＣＨ）を使用して第２の制御情報を基地局装置へ送信することとする。
【００８１】
図６において、移動局装置は、（持続的に割り当てられた）ＵＣＣ２に配置された第１のＰＵＣＣＨを使用して第１の制御情報を、（動的に割り当てられた）ＵＣＣ１に配置された第２のＰＵＣＣＨ（斜線で示されるＰＵＣＣＨ）を使用して第２の制御情報を送信する際に、基地局装置によって、ＵＣＣ１に配置されたＰＵＳＣＨ（点模様で示されるＰＵＳＣＨ）が割り当てられていた場合、割り当てられたＰＵＳＣＨを使用して第１の制御情報を、第２のＰＵＣＣＨを使用して第２の制御情報を、同一サブフレームで共に基地局装置へ送信する。すなわち、移動局装置は、持続的に割り当てられた第１のＰＵＣＣＨを使用して送信しようとしていた第１の制御情報を、ＵＣＣ１に配置されたＰＵＳＣＨに配置（ピギーバック、piggy backするとも呼称される）して、ＰＵＳＣＨとＰＵＣＣＨの同時送信を行う。ここで、移動局装置は、基地局装置によって割り当てられたＰＵＳＣＨに第１の制御情報と上りリンクデータ（ＵＬ−ＳＣＨ）を共に配置して送信する際には、例えば、第１の制御情報と上りリンクデータ（ＵＬ−ＳＣＨ）を、時分割多重（ＴＤＭ：Time Division Multiplexing）や結合符号化（joint coding）して基地局装置へ送信する。
【００８２】
例えば、図６において、移動局装置は、ＵＣＣ２に配置された第１のＰＵＣＣＨを使用してチャネル状態情報（第１の制御情報）を、ＵＣＣ１に配置された第２のＰＵＣＣＨを使用してＨＡＲＱにおける制御情報（第２の制御情報）を送信する際に、基地局装置によって、ＵＣＣ１に配置されたＰＵＳＣＨが割り当てられていた場合には、割り当てられたＰＵＳＣＨを使用してチャネル状態情報（第１の制御情報）を、第２のＰＵＣＣＨを使用してＨＡＲＱにおける制御情報（第２の制御情報）を同時送信することができる。また、移動局装置は、ＵＣＣ２に配置された第１のＰＵＣＣＨを使用してスケジューリング要求（第１の制御情報）を、ＵＣＣ１に配置された第２のＰＵＣＣＨを使用してＨＡＲＱにおける制御情報（第２の制御情報）を送信する際に、基地局装置によって、ＵＣＣ１に配置されたＰＵＳＣＨが割り当てられた場合には、割り当てられたＰＵＳＣＨを使用してスケジューリング要求（第１の制御情報）を、第２のＰＵＣＣＨを使用してＨＡＲＱにおける制御情報（第２の制御情報）を同時送信することができる。
【００８３】
同様に、図７は、移動局装置が第１の制御情報、第２の制御情報を送信する際に、基地局装置によって、ＰＵＳＣＨが割り当てられていた場合の移動局装置の動作を説明する図である。図７において、移動局装置は、（持続的に割り当てられた）ＵＣＣ２に配置された第１のＰＵＣＣＨを使用して第１の制御情報を、（動的に割り当てられた）ＵＣＣ１に配置された第２のＰＵＣＣＨ（斜線で示されるＰＵＣＣＨ）を使用して第２の制御情報を送信する際に、基地局装置によって、ＵＣＣ２に配置されたＰＵＳＣＨ（点模様で示されるＰＵＳＣＨ）が割り当てられていた場合、割り当てられたＰＵＳＣＨを使用して第１の制御情報を、第２のＰＵＣＣＨを使用して第２の制御情報を、同一サブフレームで共に基地局装置へ送信することができる。すなわち、移動局装置は、持続的に割り当てられた第１のＰＵＣＣＨを使用して送信しようとしていた第１の制御情報を、ＵＣＣ２に配置されたＰＵＳＣＨに配置して、ＰＵＳＣＨとＰＵＣＣＨの同時送信を行う。
【００８４】
ここで、本実施形態において、基地局装置によって持続的に割り当てられたリソースで送信される下りリンクトランスポートブロックに対するＨＡＲＱにおける制御情報は、第１の制御情報に含まれていても、第２の制御情報に含まれていても良い。基地局装置によって持続的に割り当てられたリソースで送信される下りリンクトランスポートブロックに対するＨＡＲＱにおける制御情報を、第１の制御情報とした場合には、持続的に割り当てられたリソースと動的に割り当てられたリソースとの管理を分離することが可能となり、基地局装置におけるオーバヘッドの見積もりを容易にすることができる。一方、基地局装置によって持続的に割り当てられたリソースで送信される下りリンクトランスポートブロックに対するＨＡＲＱにおける制御情報を、第２の制御情報とした場合には、ＨＡＲＱにおける制御情報の多重の効果を得ることが可能となる。
【００８５】
上記までに示したように、基地局装置と移動局装置が、キャリア要素を複合的に使用して広帯域な周波数帯域で通信を行う移動通信システムにおいて、持続的に割り当てられた第１のＰＵＣＣＨを使用して第１の制御情報を、動的に割り当てられた第２のＰＵＣＣＨを使用して第２の制御情報を送信する移動局装置が、基地局装置によってＰＵＳＣＨが割り当てられていた場合には、割り当てられたＰＵＳＣＨを使用して第１の制御情報を、第２のＰＵＣＣＨを使用して第２の制御情報を基地局装置へ送信することにより、移動局装置における送信電力を低く抑えた複数のＰＵＳＣＨ、ＰＵＣＣＨによるデータ（情報）の同時送信を行うことが可能になる。移動局装置が、持続的に割り当てられた第１のＰＵＣＣＨで送信しようとしていた第１の制御情報を、基地局装置によって割り当てられたＰＵＳＣＨに配置して、ＰＵＳＣＨとＰＵＣＣＨの同時送信を行うことにより、移動局装置が、基地局装置へ同時に送信する上りリンクのチャネル数を削減（制限）することが可能となり、移動局装置における送信電力を低く抑えることができる（移動局装置が、ＰＵＣＣＨでの送信を削減（制限）した同時送信を行うことによって、送信電力をより低く抑えることが可能となる）。
【００８６】
（第２の実施形態）
次に、本発明の第２の実施形態について説明する。第２の実施形態では、基地局装置は、移動局装置が、第１の制御情報を送信するための複数の第１のＰＵＣＣＨを同一サブフレームに、ＲＲＣシグナリングを使用して持続的に割り当てることができる。また、基地局装置は、移動局装置が、複数の第１の制御情報それぞれを送信するための複数の第１のＰＵＣＣＨを同一サブフレームに、ＲＲＣシグナリングを使用して持続的に割り当てることができる。それ以外に関しては、第１の実施形態と同様である。
【００８７】
図８は、基地局装置が、ＲＲＣシグナリングによって持続的に割り当てる複数の第１のＰＵＣＣＨ（それぞれ横線、塗りつぶしで示されるＰＵＣＣＨ）、および、ＰＤＣＣＨに関連付けて動的に割り当てる第２のＰＵＣＣＨ（それぞれ斜線、格子線、網線で示されるＰＵＣＣＨ）を概念的に示す図である。図８において、基地局装置は、第１のＰＵＣＣＨとして、ＵＣＣ１、ＵＣＣ２に配置されたそれぞれ“３”の大きさを持ったＰＵＣＣＨ（それぞれ横線、塗りつぶしで示されるＰＵＣＣＨ）を持続的に割り当てていることを示している。また、基地局装置は、第２のＰＵＣＣＨとして、ＵＣＣ１、ＵＣＣ２に配置されたそれぞれ“１”の大きさを持ったＰＵＣＣＨ（それぞれ斜線、格子線、網線で示されるＰＵＣＣＨ）を動的に割り当てていることを示している。以下、第２の実施形態においても、説明を分かり易くするために、移動局装置は、ＵＣＣ１に配置された斜線で示される第２のＰＵＣＣＨを使用して、第２の制御情報を基地局装置へ送信することとする。
【００８８】
図８において、移動局装置は、（持続的に割り当てられた）ＵＣＣ１、ＵＣＣ２に配置された複数の第１のＰＵＣＣＨを使用して、第１の制御情報を基地局装置へ送信する。例えば、移動局装置は、複数の第１のＰＵＣＣＨを使用して、結合符号化（joint coding）された第１の制御情報を基地局装置へ送信することができる。ここで、移動局装置は、複数の第１のＰＵＣＣＨを、符号分割多重（ＣＤＭ：Code Division Multiplexing）や周波数分割多重（ＦＤＭ：Frequency Division Multiplexing）して、第１の制御情報を基地局装置へ送信することができる。また、複数の第１のＰＵＣＣＨは、上りリンクのキャリア要素（ＵＣＣ１、ＵＣＣ２）を跨いで、周波数分割多重（ＦＤＭ）されても良い。すなわち、基地局装置は、移動局装置が、第１の制御情報を送信するための複数の第１のＰＵＣＣＨを同一サブフレームに持続的に割り当てることができる。図８では、移動局装置は、ＵＣＣ１、ＵＣＣ２に配置された複数の第１のＰＵＣＣＨを使用して第１の制御情報を、ＵＣＣ１に配置された第２のＰＵＣＣＨを使用して第２の制御情報を、同一サブフレームで共に基地局装置へ送信する（複数のＰＵＣＣＨの同時送信を行う）ことを示している。
【００８９】
例えば、図８において、移動局装置は、ＵＣＣ１、ＵＣＣ２に配置された複数の第１のＰＵＣＣＨを使用してチャネル状態情報（第１の制御情報）を、ＵＣＣ１に配置された第２のＰＵＣＣＨを使用してＨＡＲＱにおける制御情報（第２の制御情報）を、同時送信することができる。また、例えば、移動局装置は、ＵＣＣ１、ＵＣＣ２に配置された複数の第１のＰＵＣＣＨを使用してスケジューリング要求（第１の制御情報）を、ＵＣＣ１に配置された第２のＰＵＣＣＨを使用してＨＡＲＱにおける制御情報（第２の制御情報）を、同時送信することができる。
【００９０】
また、図８において、移動局装置は、（持続的に割り当てられた）ＵＣＣ１、ＵＣＣ２に配置された複数の第１のＰＵＣＣＨを使用して、複数の第１の制御情報それぞれを基地局装置へ送信することもできる。例えば、移動局装置は、複数の第１のＰＵＣＣＨを使用して、複数の第１の制御情報それぞれを独立に基地局装置へ送信することができる。すなわち、基地局装置は、移動局装置が、複数の第１の制御情報それぞれを送信するための複数の第１のＰＵＣＣＨを同一サブフレームに持続的に割り当てることができる。
【００９１】
ここで、移動局装置は、ＵＣＣ１に配置された第１および／または第２のＰＵＣＣＨを使用して第１の制御情報と第２の制御情報を、ＵＣＣ２に配置された第１のＰＵＣＣＨを使用して第１の制御情報を、同一サブフレームで共に基地局装置へ送信する（複数のＰＵＣＣＨの同時送信を行う）ことができる。移動局装置が、ＵＣＣ１に配置された第１および／または第２のＰＵＣＣＨを使用して第１の制御情報および第２の制御情報を共に送信する際には、例えば、第１の制御情報と第２の制御情報を、時分割多重（ＴＤＭ）や結合符号化（joint coding）や符号分割多重（ＣＤＭ）や周波数分割多重（ＦＤＭ）して基地局装置へ送信する。
【００９２】
例えば、図８において、移動局装置は、ＵＣＣ１に配置された第１および／または第２のＰＵＣＣＨを使用してチャネル状態情報（第１の制御情報）とＨＡＲＱにおける制御情報（第２の制御情報）を、ＵＣＣ２に配置された第１のＰＵＣＣＨを使用してチャネル状態情報（第１の制御情報）を、同時送信することができる。ここで、ＵＣＣ１に配置された第１および／または第２のＰＵＣＣＨを使用して送信されるチャネル状態情報は、例えば、図４におけるＤＣＣ１、ＤＣＣ２のチャネル状態を示すことができ、ＵＣＣ２に配置された第１のＰＵＣＣＨを使用して送信されるチャネル状態情報は、例えば、図４におけるＤＣＣ３、ＤＣＣ４のチャネル状態を示すことができる。移動局装置が送信するチャネル状態情報はこれ以外でも良く、どの下りリンクのキャリア要素のチャネル状態情報を上りリンクのキャリア要素で送信するのか（下りリンクのキャリア要素と上りリンクのキャリア要素の対応）は、基地局装置からの報知チャネル、または、ＲＲＣシグナリングによって、セル固有、または、移動局装置固有に設定することができる。
【００９３】
また、例えば、移動局装置は、ＵＣＣ１に配置された第１および／または第２のＰＵＣＣＨを使用してスケジューリング要求（第１の制御情報）とＨＡＲＱにおける制御情報（第２の制御情報）を、ＵＣＣ２に配置された第１のＰＵＣＣＨを使用してスケジューリング要求（第１の制御情報）を、同時送信することができる。ここで、ＵＣＣ１に配置された第１および／または第２のＰＵＣＣＨを使用して送信されるスケジューリング要求（第１の制御情報）は、例えば、図４におけるＵＣＣ１、ＵＣＣ２で上りリンクデータを送信するためのリソースの割り当てを要求することができ、ＵＣＣ２に配置された第１のＰＵＣＣＨを使用して送信されるスケジューリング要求（第１の制御情報）も、図４におけるＵＣＣ１、ＵＣＣ２で上りリンクデータを送信するためのリソースの割り当てを要求することができる（すなわち、スケジューリング要求は、すべての上りリンクのキャリア要素に対するリソースの割り当てを要求することができる）。
【００９４】
図９は、移動局装置が第１の制御情報、第２の制御情報送信する際に、基地局装置によって、ＰＵＳＣＨが割り当てられていた場合の移動局装置の動作を説明する図である。上述したように、移動局装置は、ＵＣＣ１に配置された斜線で示されるＰＵＣＣＨ（図５の斜線で示される第２のＰＵＣＣＨ）を使用して、第２の制御情報を基地局装置へ送信することとする。
【００９５】
図９において、移動局装置は、（持続的に割り当てられた）ＵＣＣ１、ＵＣＣ２に配置された複数の第１のＰＵＣＣＨを使用して第１の制御情報を、（動的に割り当てられた）ＵＣＣ１に配置された第２のＰＵＣＣＨ（斜線で示されるＰＵＣＣＨ）を使用して第２の制御情報を送信する際に、基地局装置によって、ＵＣＣ１に配置されたＰＵＳＣＨ（点模様で示されるＰＵＳＣＨ）が割り当てられていた場合、割り当てられたＰＵＳＣＨを使用して第１の制御情報を、第２のＰＵＣＣＨを使用して第２の制御情報を、同一サブフレームで共に基地局装置へ送信する。すなわち、移動局装置は、持続的に割り当てられた第１のＰＵＣＣＨを使用して送信しようとしていた第１の制御情報を、ＵＣＣ１に配置されたＰＵＳＣＨに配置（piggy back）して、ＰＵＳＣＨとＰＵＣＣＨの同時送信を行う。
【００９６】
例えば、図９において、移動局装置は、ＵＣＣ１、ＵＣＣ２に配置された複数の第１のＰＵＣＣＨを使用してチャネル状態情報（第１の制御情報）を、ＵＣＣ１に配置された第２のＰＵＣＣＨを使用してＨＡＲＱにおける制御情報（第２の制御情報）を送信する際に、基地局装置によって、ＵＣＣ１に配置されたＰＵＳＣＨが割り当てられた場合には、割り当てられたＰＵＳＣＨを使用してチャネル状態情報（第１の制御情報）を、第２のＰＵＣＣＨを使用してＨＡＲＱにおける制御情報（第２の制御情報）を同時送信することができる。すなわち、移動局装置は、チャネル状態情報（第１の制御情報）を、ＵＣＣ１、ＵＣＣ２に配置された複数の第１のＰＵＣＣＨを使用して送信する際に、基地局装置によって、ＵＣＣ１に配置されたＰＵＳＣＨが割り当てられた場合には、割り当てられたＰＵＳＣＨを使用してチャネル状態情報（第１の制御情報）を、ＨＡＲＱにおける制御情報（第２の制御情報）と同時送信することができる。
【００９７】
また、例えば、移動局装置は、ＵＣＣ１、ＵＣＣ２に配置された複数の第１のＰＵＣＣＨを使用してスケジューリング要求（第１の制御情報）を、ＵＣＣ１に配置された第２のＰＵＣＣＨを使用してＨＡＲＱにおける制御情報（第２の制御情報）を送信する際に、基地局装置によって、ＵＣＣ１に配置されたＰＵＳＣＨが割り当てられた場合には、割り当てられたＰＵＳＣＨを使用してスケジューリング要求（第１の制御情報）を、第２のＰＵＣＣＨを使用してＨＡＲＱにおける制御情報（第２の制御情報）を基地局装置へ同時送信することができる。すなわち、移動局装置は、スケジューリング要求（第１の制御情報）を、ＵＣＣ１、ＵＣＣ２に配置された複数の第１のＰＵＣＣＨを使用して送信する際に、基地局装置によって、ＵＣＣ１に配置されたＰＵＳＣＨが割り当てられた場合には、割り当てられたＰＵＳＣＨを使用してスケジューリング要求（第１の制御情報）を、ＨＡＲＱにおける制御情報（第２の制御情報）と同時送信することができる。
【００９８】
同様に、図１０は、移動局装置が第１の制御情報、第２の制御情報を複数のＰＵＣＣＨを使用して同時送信する際に、基地局装置によって、ＰＵＳＣＨが割り当てられていた場合の移動局装置の動作を説明する図である。図１０において、移動局装置は、（持続的に割り当てられた）ＵＣＣ１、ＵＣＣ２に配置された第１のＰＵＣＣＨを使用して第１の制御情報を、（動的に割り当てられた）ＵＣＣ１に配置された第２のＰＵＣＣＨ（斜線で示されるＰＵＣＣＨ）を使用して第２の制御情報を送信する際に、基地局装置によって、ＵＣＣ２に配置されたＰＵＳＣＨ（点模様で示されるＰＵＳＣＨ）が割り当てられていた場合、割り当てられたＰＵＳＣＨを使用して第１の制御情報を、第２のＰＵＣＣＨを使用して第２の制御情報を、同一サブフレームで共に基地局装置へ送信する。すなわち、移動局装置は、持続的に割り当てられた第１のＰＵＣＣＨを使用して送信しようとしていた第１の制御情報を、ＵＣＣ２に配置されたＰＵＳＣＨに配置して、ＰＵＳＣＨとＰＵＣＣＨの同時送信を行う。
【００９９】
図１１は、移動局装置が、基地局装置によって割り当てられたＰＵＳＣＨに第１の制御情報と上りリンクデータ（ＵＬ−ＳＣＨ）を共に配置する際の例を示している。図１１では、基地局装置によって割り当てられたＰＵＳＣＨに、結合符号化（joint coding）された第１の制御情報（細かな網線で示される）と上りリンクデータ（ＵＬ−ＳＣＨ）（白塗りで示される）とパイロット信号（ＲＳ：Reference symbol）（縦線で示される）が配置されていることを示している。
【０１００】
図１１に示すように、移動局装置は、第１の制御情報と上りリンクデータ（ＵＬ−ＳＣＨ）を、基地局装置によって割り当てられたＰＵＳＣＨに配置する場合、まず第１の制御情報を、時間軸方向（ＤＦＴ前の行列における行インデックスの方向）に配置し、時間軸方法の全ての領域（例えば、全てのＳＣ−ＦＤＭＡシンボル）に第１の制御情報が配置された後（ＲＳを除く１２個のＳＣ−ＦＤＭＡシンボルに第１の制御情報が配置された後）に、周波数軸の方向（ＤＦＴ前の行列における列インデックスの方向）に配置する（タイム・ファースト・マッピングと呼称される）。この行列は、リソースエレメントの配置と同様の構成になっているが、最終的にこの行列に対してＤＦＴ処理が行われるため周波数方向には、拡散されることになる。ここで、第１の制御情報が配置される領域数（例えば、ＳＣ−ＦＤＭＡシンボル数）は、基地局装置によって割り当てられたＰＵＳＣＨに対するＭＣＳ（変調方式および／または符号化方式）とリソースサイズ（時間成分および／または周波数成分で割り当てられるＰＵＳＣＨリソースの大きさ）に応じて異なってくる（第１の制御情報のＭＣＳ（変調方式および／または符号化方式はデフォルト値で固定されていてもよい）。上りリンクデータ（ＵＬ−ＳＣＨ）は、第１の制御情報が配置された後に、タイム・ファースト・マッピングで配置される。移動局装置が、このように予め定義された配置方法で第１の制御情報と上りリンクデータ（ＵＬ−ＳＣＨ）を共にＰＵＳＣＨに配置して基地局装置へ送信することで、基地局装置から配置に関する指示を受信する必要がなく、下りリンクの無線リソースを効率的に使用して、ＰＵＳＣＨとＰＵＣＣＨの同時送信を行うことができる。
【０１０１】
図１２は、移動局装置が、基地局装置によって割り当てられたＰＵＳＣＨに、複数の第１の制御情報それぞれと上りリンクデータ（ＵＬ−ＳＣＨ）を共に配置する際の別の例を示している。図１２では、基地局装置によって割り当てられたＰＵＳＣＨに、独立した複数の第１の制御情報それぞれ（それぞれ塗りつぶし、横線で示される）と上りリンクデータ（ＵＬ−ＳＣＨ）（白塗りで示される）とパイロット信号（ＲＳ）（縦線で示される）が配置されていることを示している。
【０１０２】
図１２に示すように、移動局装置は、第１の制御情報それぞれと上りリンクデータ（ＵＬ−ＳＣＨ）を、基地局装置によって割り当てられたＰＵＳＣＨに配置する場合、例えば、複数の第１の制御情報それぞれにインデックスを付与し、インデックスが小さい方から順に、タイム・ファースト・マッピングで配置する。図１２では、インデックスは、上りリンクのキャリア要素（ＵＣＣ１、ＵＣＣ２）の周波数位置（周波数が低い順（もしくは高い順））に応じて付与されていることを示しており、移動局装置は、インデックスが小さい（周波数位置が低い（もしくは高い））ＵＣＣ１に配置された第１のＰＵＣＣで送信しようとしていた第１の制御情報を先に配置し、続いて、インデックスが大きい（周波数位置が高い（もしくは低い））ＵＣＣ２に配置された第１のＰＵＣＣで送信しようとしていた第１の制御情報を配置する。上りリンクデータ（ＵＬ−ＳＣＨ）は、複数の第１の制御情報それぞれが、インデックスが小さい方から順に（もしくは大きい方から順に）配置された後に、タイム・ファースト・マッピングで配置される。移動局装置が、このように予め定義された配置方法で複数の第１の制御情報それぞれと上りリンクデータ（ＵＬ−ＳＣＨ）を共にＰＵＳＣＨに配置して基地局装置へ送信することで、基地局装置から配置に関する指示を受信する必要がなく、下りリンクの無線リソースを効率的に使用して、ＰＵＳＣＨとＰＵＣＣＨの同時送信を行うことができる。
【０１０３】
図１３は、移動局装置が、基地局装置によって割り当てられたＰＵＳＣＨに、複数の第１の制御情報それぞれと上りリンクデータ（ＵＬ−ＳＣＨ）を共に配置する際の別の例を示している。図１３では、基地局装置によって割り当てられたＰＵＳＣＨに、独立した複数の第１の制御情報それぞれ（それぞれ塗りつぶし、横線で示される）と上りリンクデータ（ＵＬ−ＳＣＨ（白塗りで示される）とパイロット信号（（ＲＳ）（縦線で示される）が配置されていることを示している。
【０１０４】
図１３に示すように、移動局装置は、第１の制御情報それぞれと上りリンクデータ（ＵＬ−ＳＣＨ）を、基地局装置によって割り当てられたＰＵＳＣＨに配置する場合、例えば、ＰＵＳＣＨが割り当てられた上りリンクのキャリア要素に配置された第１のＰＵＣＣＨで送信しようとしていた第１の制御情報を、先にタイム・ファースト・マッピングで配置する。図１３では、基地局装置は、ＵＣＣ２に配置されたＰＵＳＣＨを割り当てていることを示し、移動局装置は、ＵＣＣ２に配置された第１のＰＵＣＣＨで送信しようとしていた第１の制御情報を先に配置し、続いて、ＵＣＣ１に配置された第１のＰＵＣＣで送信しようとしていた第１の制御情報を配置する。上りリンクデータ（ＵＬ−ＳＣＨ）は、複数の第１の制御情報それぞれが配置された後に、タイム・ファースト・マッピングで配置される。移動局装置が、このように予め定義された配置方法で複数の第１の制御情報それぞれと上りリンクデータ（ＵＬ−ＳＣＨ）を共にＰＵＳＣＨに配置して基地局装置へ送信することで、基地局装置から配置に関する指示を受信する必要がなく、下りリンクの無線リソースを効率的に使用して、ＰＵＳＣＨとＰＵＣＣＨの同時送信を行うことができる。
【０１０５】
ここで、本実施形態においても、基地局装置によって持続的に割り当てられたリソースで送信される下りリンクトランスポートブロックに対するＨＡＲＱにおける制御情報は、第１の制御情報に含まれていても、第２の制御情報に含まれていても良い。基地局装置によって持続的に割り当てられたリソースで送信される下りリンクトランスポートブロックに対するＨＡＲＱにおける制御情報を、第１の制御情報とした場合には、持続的に割り当てられたリソースと動的に割り当てられたリソースとの管理を分離することが可能となり、基地局装置におけるオーバヘッドの見積もりを容易にすることができる。一方、基地局装置によって持続的に割り当てられたリソースで送信される下りリンクトランスポートブロックに対するＨＡＲＱにおける制御情報を、第２の制御情報とした場合には、ＨＡＲＱにおける制御情報の多重の効果を得ることが可能となる。
【０１０６】
上記までに示したように、基地局装置と移動局装置が、キャリア要素を複合的に使用して広帯域な周波数帯域で通信を行う移動通信システムにおいて、持続的、動的に割り当てられた複数のＰＵＣＣＨを使用して、第１の制御情報および第２の制御情報を送信する移動局装置が、基地局装置によってＰＵＳＣＨが割り当てられていた場合には、割り当てられたＰＵＳＣＨを使用して第１の制御情報を、第２のＰＵＣＣＨを使用して第２の制御情報を基地局装置へ送信することにより、移動局装置における送信電力を低く抑えた複数のＰＵＳＣＨ、ＰＵＣＣＨによるデータ（情報）の同時送信を行うことが可能になる。移動局装置が、持続的に割り当てられた第１のＰＵＣＣＨで送信しようとしていた第１の制御情報を、基地局装置によって割り当てられたＰＵＳＣＨに配置して、ＰＵＳＣＨとＰＵＣＣＨの同時送信を行うことにより、移動局装置が、基地局装置へ同時に送信する上りリンクのチャネル数を削減（制限）することが可能となり、移動局装置における送信電力を低く抑えることができる（移動局装置が、ＰＵＣＣＨでの送信を削減（制限）した同時送信を行うことによって、送信電力をより低く抑えることが可能となる）。
【０１０７】
（第３の実施形態）
次に、本発明の第３の実施形態について説明する。第３の実施形態では、第１の実施形態および第２の実施形態で説明した移動局装置が、すべての制御情報（第１の制御情報、第２の制御情報）を、割り当てられたＰＵＳＣＨで送信することを指示する送信許可情報を基地局装置から受信した場合には、基地局装置によってＰＵＳＣＨが割り当てられた際に、すべての制御情報（第１の制御情報、第２の制御情報）を、割り当てられたＰＵＳＣＨで送信することができる。
【０１０８】
図１４は、第１の実施形態で説明した移動局装置が、第１の制御情報、第２の制御情報を送信する際に、基地局装置によって、ＰＵＳＣＨが割り当てられていた場合の移動局装置の動作を説明する図である。以下、本実施形態においても、説明を分かり易くするために、移動局装置は、ＵＣＣ１に配置された斜線で示されるＰＵＣＣＨ（図５の斜線で示される第２のＰＵＣＣＨ）を使用して、第２の制御情報を基地局装置へ送信することとする。
【０１０９】
図１４において、基地局装置は、すべての制御情報（第１の制御情報、第２の制御情報）を、割り当てられたＰＵＳＣＨで送信することを指示する送信許可情報を移動局装置へ送信する。この送信許可情報は、例えば、ＲＲＣシグナリングや上りリンク送信許可信号に含めて移動局装置へ送信される。この送信許可情報を受信した移動局装置は、第１の制御情報、第２の制御情報を送信する際に、基地局装置によってＰＵＳＣＨ（点模様で示されるＰＵＳＣＨ）が割り当てられていた場合には、割り当てられたＰＵＳＣＨに、すべての制御情報（第１の制御情報、第２の制御）を配置して、基地局装置へ送信する。すなわち、移動局装置は、（持続的に割り当てられた）ＵＣＣ２に配置された第１のＰＵＣＣＨを使用して第１の制御情報を、（動的に割り当てられた）ＵＣＣ１に配置された第２のＰＵＣＣＨを使用して第２の制御情報を送信する際に、基地局装置によってＵＣＣ１に配置されたＰＵＳＣＨ（点模様で示されるＰＵＳＣＨ）が割り当てられていた場合には、割り当てられたＰＵＳＣＨを使用して、すべて制御情報（第１の制御情報、第２の制御情報）を基地局装置へ送信する。ここで、基地局装置によって、ＵＣＣ２に配置されたＰＵＳＣＨが割り当てられていた場合でも、移動局装置が同様の動作をすることは勿論である。
【０１１０】
同様に、図１５は、第２の実施形態で説明した移動局装置が、第１の制御情報、第２の制御情報を送信する際に、基地局装置によって、ＰＵＳＣＨが割り当てられていた場合の移動局装置の動作を説明する図である。図１５において、基地局装置は、すべての制御情報（第１の制御情報、第２の制御情報）を、割り当てられたＰＵＳＣＨで送信することを指示する送信許可情報を移動局装置へ送信する。この送信許可情報を受信した移動局装置は、第１の制御情報、第２の制御情報を送信する際に、基地局装置によってＰＵＳＣＨ（点模様で示されるＰＵＳＣＨ）が割り当てられていた場合には、割り当てられたＰＵＳＣＨに、すべての制御情報（第１の制御情報、第２の制御）を配置して、基地局装置へ送信する。すなわち、移動局装置は、（持続的、動的に割り当てられた第１のＰＵＣＣＨおよび／もしくは第２のＰＵＣＣＨを使用して）第１の制御情報、第２の制御情報を送信する際に、基地局装置によってＵＣＣ１に配置されたＰＵＳＣＨ（点模様で示されるＰＵＳＣＨ）が割り当てられていた場合には、割り当てられたＰＵＳＣＨを使用して、すべて制御情報（第１の制御情報、第２の制御情報）を基地局装置へ送信する。ここで、基地局装置によって、ＵＣＣ２に配置されたＰＵＳＣＨが割り当てられていた場合でも、移動局装置が同様の動作をすることは勿論である。
【０１１１】
図１６は、移動局装置が、基地局装置によって割り当てられたＰＵＳＣＨに、第１の制御情報と第２の制御情報と上りリンクデータ（ＵＬ−ＳＣＨ）を共に配置する際の例を示している。図１６では、基地局装置によって割り当てられたＰＵＳＣＨに、第１の制御情報（細かな網線で示される）と第２の制御情報（黒塗りで示される）と上りリンクデータ（ＵＬ−ＳＣＨ）（白塗りで示される）とパイロット信号（ＲＳ）（縦線で示される）が配置されていることを示している。この例では、第１の制御情報は、結合符号化（joint coding）されていることを示しているが、ＰＵＳＣＨに配置される第１の制御情報は、独立した複数の第１の制御情報それぞれでも良い。
【０１１２】
図１６に示すように、移動局装置は、第１の制御情報と第２の制御情報と上りリンクデータ（ＵＬ−ＳＣＨ）を、割り当てられたＰＵＳＣＨに配置する場合、まず第１の制御情報を、タイム・ファースト・マッピングで配置する。続いて、移動局装置は、上りリンクデータ（ＵＬ−ＳＣＨ）を、第１の制御情報が配置された後に、タイム・ファースト・マッピングで配置する。続いて、移動局装置は、第２の制御情報を、図１６に示すようにＲＳに隣接して配置する。この際、第２の制御情報は、上りリンクデータ（ＵＬ−ＳＣＨ）を上書きして配置される（第２の制御情報を、上りリンクデータ（ＵＬ−ＳＣＨ）をパンクチャして配置するとも呼称される）。図１６では、例として第２の制御情報が、配置可能な領域（ＲＳに隣接する４つの領域、時間軸方向にある１４個の領域のうち、時間軸の小さい方から３番目、５番目、１０番目、１２番目の４つの領域）に配置されていることを示しているが、第２の制御情報が配置される領域（移動局装置が、送信すべき第２の制御情報を配置する領域数）は、基地局装置からのＰＤＣＣＨ（上りリンク送信許可信号）に含まれて、移動局装置に対して指示されても良い。
【０１１３】
例えば、基地局装置は、移動局装置が第２の制御情報を配置する領域（送信すべき第２の制御情報を配置する領域数）として、“２”という情報をＰＤＣＣＨ（上りリンク送信許可信号）に含めて送信することができる。この情報を受信した移動局装置は、第２の制御情報を配置する領域として“２”の大きさ（例えば、２ＳＣ−ＦＤＭＡシンボル）を確保し、確保した領域に第２の制御情報を配置して、基地局装置へ送信する。例えば、基地局装置は、移動局装置がＰＤＣＣＨおよび／または下りリンクのトランスポートブロックに対するＨＡＲＱにおける制御情報（第２の制御情報）を、割り当てられたＰＵＳＣＨに配置して送信する場合、基地局装置から同一サブフレームで送信されるＰＤＣＣＨおよび／またはＰＤＳＣＨの（合計）数を示す情報を、移送局装置に対して送信（指示）することができる。移動局装置は、基地局装置から送信された、同一サブフレームで送信されるＰＤＣＣＨおよび／またはＰＤＳＣＨの（合計）数を示す情報に従って、ＰＵＳＣＨの領域を確保し、第２の制御情報を確保したＰＵＳＣＨに配置して、基地局装置へ送信する。このように、基地局装置と移動局装置が、同一サブフレームで送信されるＰＤＣＣＨおよび／またはＰＤＳＣＨの（合計）数を示す情報を送受信することで、移動局装置が第２の制御情報を配置するＰＵＳＣＨの領域を柔軟に制御することが可能となり、ＰＵＳＣＨの領域を有効に使用することができる。
【０１１４】
また、移動局装置が、第２の制御情報をＲＳに隣接して配置することによって、基地局装置におけるチャネル推定誤りによる第２の制御情報の複合化精度の劣化を軽減することができ、チャネル変動に対する強い耐性を持つことができる。また、移動局装置が、このように予め定義された配置方法で第１の制御情報と第２の制御情報と上りリンクデータ（ＵＬ−ＳＣＨ）を共にＰＵＳＣＨに配置して基地局装置へ送信することで、基地局装置から配置に関する指示を受信する必要がなく、下りリンクの無線リソースを効率的に使用して、制御情報と上りリンクデータ（ＵＬ−ＳＣＨ）の同時送信ができる。
【０１１５】
上記までに示したように、基地局装置と移動局装置が、キャリア要素を複合的に使用して広帯域な周波数帯域として通信を行う移動通信システムにおいて、すべての制御情報（第１の制御情報、第２の制御情報）を、割り当てられたＰＵＳＣＨで送信することを指示する送信許可情報を基地局装置から受信した移動局装置が、基地局装置によってＰＵＳＣＨが割り当てられた際に、すべての制御情報（第１の制御情報、第２の制御情報）を割り当てられたＰＵＳＣＨで送信することによって、移動局装置における送信電力を低く抑えたデータ（情報）の同時送信を行うことが可能になる。移動局装置が、すべての制御情報（第１の制御情報、第２の制御情報）を、基地局装置によって割り当てられたＰＵＳＣＨに配置して送信することにより、移動局装置が、基地局装置へ同時に送信する上りリンクのチャネル数を削減（制限）することが可能となり、移動局装置における送信電力を低く抑えることができる（移動局装置が、ＰＵＣＣＨでの送信を削減（制限）した同時送信を行うことによって、送信電力をより低く抑えることが可能となる）。また、基地局装置が、すべての制御情報（第１の制御情報、第２の制御情報）を、割り当てられたＰＵＳＣＨで送信することを指示する送信許可情報を送信することによって、移動局装置に対して、すべての制御情報をＰＵＳＣＨに配置して送信するかどうかの切り替えを行うことが可能となり、より柔軟な送信制御を実現することができる。
【０１１６】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１１７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１１８】
以上詳述したとおり、本発明は、以下のような手段を講じることが可能である。
すなわち、移動通信システムは、複数のキャリア要素それぞれに配置される物理上りリンク共用チャネルを使用して、移動局装置が複数の上りリンクデータを同一サブフレームで基地局装置へ送信する移動通信システムであって、前記基地局装置は、前記移動局装置が、第１の制御情報を送信するための第１の物理上りリンク制御チャネルを、無線資源制御信号を使用して持続的に前記移動局装置に対して割り当て、前記移動局装置が、第２の制御情報を送信するための第２の物理上りリンク制御チャネルを、物理下りリンク制御チャネルに関連付けて動的に前記移動局装置に対して割り当て、前記移動局装置は、前記物理上りリンク共用チャネルが割り当てられた場合には、第１の制御情報を前記物理上りリンク共用チャネルを使用して、第２の制御情報を第２の物理上りリンク制御チャネルを使用して、同一サブフレームで共に前記基地局装置へ送信する。
【０１１９】
また、移動通信システムは、複数のキャリア要素それぞれに配置される物理上りリンク共用チャネルを使用して、移動局装置が複数の上りリンクデータを同一サブフレームで基地局装置へ送信する移動通信システムであって、前記基地局装置は、前記移動局装置が、第１の制御情報を送信するための複数の第１の物理上りリンク制御チャネルを同一サブフレームに、無線資源制御信号を使用して持続的に前記移動局装置に対して割り当て、前記移動局装置が、第２の制御情報を送信するための第２の物理上りリンク制御チャネルを、物理下りリンク制御チャネルに関連付けて動的に前記移動局装置に対して割り当て、前記移動局装置は、前記物理上りリンク共用チャネルが割り当てられた場合には、第１の制御情報を前記物理上りリンク共用チャネルを使用して、第２の制御情報を第２の物理上りリンク制御チャネルを使用して、同一サブフレームで共に前記基地局装置へ送信する。
【０１２０】
また、移動通信システムは、複数のキャリア要素それぞれに配置される物理上りリンク共用チャネルを使用して、移動局装置が複数の上りリンクデータを同一サブフレームで基地局装置へ送信する移動通信システムであって、前記基地局装置は、前記移動局装置が、複数の第１の制御情報それぞれを送信するための複数の第１の物理上りリンク制御チャネルを同一サブフレームに、無線資源制御信号を使用して持続的に前記移動局装置に対して割り当て、前記移動局装置が、第２の制御情報を送信するための第２の物理上りリンク制御チャネルを、物理下りリンク制御チャネルに関連付けて動的に前記移動局装置に対して割り当て、前記移動局装置は、前記物理上りリンク共用チャネルが割り当てられた場合には、前記複数の第１の制御情報を前記物理上りリンク共用チャネルを使用して、第２の制御情報を第２の物理上りリンク制御チャネルを使用して、同一サブフレームで共に前記基地局装置へ送信する。
【０１２１】
また、前記移動局装置は、前記複数の第１の制御情報それぞれを、前記物理上りリンク共用チャネルで、インデックスが小さい方から順に配置し、前記基地局装置へ送信する。
【０１２２】
また、前記第１の制御情報は、下りリンクのチャネル状態を示すチャネル状態情報である。
【０１２３】
また、前記第１の制御情報は、上りリンクデータを送信するためのリソースの割り当てを要求するスケジューリング要求である。
【０１２４】
また、前記第１の制御情報は、基地局装置によって持続的に割り当てられたリソースで送信される下りリンクトランスポートブロックに対するＨＡＲＱにおける制御情報である。
【０１２５】
また、前記第２の制御情報は、物理下りリンク制御チャネルおよび／もしくは下りリンクトランスポートブロックに対するＨＡＲＱにおける制御情報である。
【０１２６】
また、前記第２の制御情報は、基地局装置によって動的に割り当てられたリソースで送信される物理下りリンク制御チャネルおよび／もしくは下りリンクトランスポートブロックに対するＨＡＲＱにおける制御情報である。
【０１２７】
また、前記第２の制御情報は、基地局装置によって持続的に割り当てられたリソースで送信される下りリンクトランスポートブロックに対するＨＡＲＱにおける制御情報である。
【０１２８】
また、移動局装置は、複数のキャリア要素それぞれに配置される物理上りリンク共用チャネルを使用して、複数の上りリンクデータを同一サブフレームで基地局装置へ送信する移動局装置であって、第１の制御情報を送信するための第１の物理上りリンク制御チャネルを持続的に割り当てる無線資源制御信号を前記基地局装置から受信する手段と、第２の制御情報を送信するための第２の物理上りリンク制御チャネルを動的に割り当てる、第２の物理上りリンク制御チャネルに関連付けられた物理下りリンク制御チャネルを前記基地局装置から受信する手段と、前記基地局装置によって、前記物理上りリンク共用チャネルが割り当てられた場合には、第１の制御情報を前記物理上りリンク共用チャネルを使用して、第２の制御情報を第２の物理上りリンク制御チャネルを使用して、同一サブフレームで共に前記基地局装置へ送信する手段と、を備える。
【０１２９】
また、移動局装置は、複数のキャリア要素それぞれに配置される物理上りリンク共用チャネルを使用して、複数の上りリンクデータを同一サブフレームで基地局装置へ送信する移動局装置であって、第１の制御情報を送信するための複数の第１の物理上りリンク制御チャネルを同一サブフレームに持続的に割り当てる無線資源制御信号を前記基地局装置から受信する手段と、第２の制御情報を送信するための第２の物理上りリンク制御チャネルを動的に割り当てる、第２の物理上りリンク制御チャネルに関連付けられた物理下りリンク制御チャネルを前記基地局装置から受信する手段と、前記基地局装置によって、前記物理上りリンク共用チャネルが割り当てられた場合には、第１の制御情報を前記物理上りリンク共用チャネルを使用して、第２の制御情報を第２の物理上りリンク制御チャネルを使用して、同一サブフレームで共に前記基地局装置へ送信する手段と、を備える。
【０１３０】
また、移動局装置は、複数のキャリア要素それぞれに配置される物理上りリンク共用チャネルを使用して、複数の上りリンクデータを同一サブフレームで基地局装置へ送信する移動局装置であって、複数の第１の制御情報それぞれを送信するための複数の第１の物理上りリンク制御チャネルを同一サブフレームに持続的に割り当てる無線資源制御信号を前記基地局装置から受信する手段と、第２の制御情報を送信するための第２の物理上りリンク制御チャネルを動的に割り当てる、第２の物理上りリンク制御チャネルに関連付けられた物理下りリンク制御チャネルを前記基地局装置から受信する手段と、前記基地局装置によって、前記物理上りリンク共用チャネルが割り当てられた場合には、前記複数の第１の制御情報を前記物理上りリンク共用チャネルを使用して、第２の制御情報を第２の物理上りリンク制御チャネルを使用して、同一サブフレームで共に前記基地局装置へ送信する手段と、を備える。
【０１３１】
また、前記移動局装置は、前記複数の第１の制御情報それぞれを、前記物理上りリンク共用チャネルで、インデックスが小さい方から順に配置し、前記基地局装置へ送信する。
【０１３２】
また、移動通信方法は、複数のキャリア要素それぞれに配置される物理上りリンク共用チャネルを使用して、複数の上りリンクデータを同一サブフレームで基地局装置へ送信する移動局装置における通信方法であって、第１の制御情報を送信するための第１の物理上りリンク制御チャネルを持続的に割り当てる無線資源制御信号を前記基地局装置から受信し、第２の制御情報を送信するための第２の物理上りリンク制御チャネルを動的に割り当てる、第２の物理上りリンク制御チャネルに関連付けられた物理下りリンク制御チャネルを前記基地局装置から受信し、前記基地局装置によって、前記物理上りリンク共用チャネルが割り当てられた場合には、第１の制御情報を前記物理上りリンク共用チャネルを使用して、第２の制御情報を第２の物理上りリンク制御チャネルを使用して、同一サブフレームで共に前記基地局装置へ送信する。
【０１３３】
また、移動通信方法は、複数のキャリア要素それぞれに配置される物理上りリンク共用チャネルを使用して、複数の上りリンクデータを同一サブフレームで基地局装置へ送信する移動局装置における通信方法であって、第１の制御情報を送信するための複数の第１の物理上りリンク制御チャネルを同一サブフレームに持続的に割り当てる無線資源制御信号を前記基地局装置から受信し、第２の制御情報を送信するための第２の物理上りリンク制御チャネルを動的に割り当てる、第２の物理上りリンク制御チャネルに関連付けられた物理下りリンク制御チャネルを前記基地局装置から受信し、前記基地局装置によって、前記物理上りリンク共用チャネルが割り当てられた場合には、第１の制御情報を前記物理上りリンク共用チャネルを使用して、第２の制御情報を第２の物理上りリンク制御チャネルを使用して、同一サブフレームで共に前記基地局装置へ送信する。
【０１３４】
また、移動通信方法は、複数のキャリア要素それぞれに配置される物理上りリンク共用チャネルを使用して、複数の上りリンクデータを同一サブフレームで基地局装置へ送信する移動局装置における通信方法であって、複数の第１の制御情報それぞれを送信するための複数の第１の物理上りリンク制御チャネルを同一サブフレームに持続的に割り当てる無線資源制御信号を前記基地局装置から受信し、第２の制御情報を送信するための第２の物理上りリンク制御チャネルを動的に割り当てる、第２の物理上りリンク制御チャネルに関連付けられた物理下りリンク制御チャネルを前記基地局装置から受信し、前記基地局装置によって、前記物理上りリンク共用チャネルが割り当てられた場合には、前記複数の第１の制御情報を前記物理上りリンク共用チャネルを使用して、第２の制御情報を第２の物理上りリンク制御チャネルを使用して、同一サブフレームで共に前記基地局装置へ送信する。
【０１３５】
また、前記移動局装置は、前記複数の第１の制御情報それぞれを、前記物理上りリンク共用チャネルで、インデックスが小さい方から順に配置し、前記基地局装置へ送信する。
【０１３６】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１３７】
１００…基地局装置、１０１…データ制御部、１０２…送信データ変調部、１０３…無線部、１０４…スケジューリング部、１０５…チャネル推定部、１０６…受信データ復調部、１０７…データ抽出部、１０８…上位層１０９…アンテナ、１１０…無線リソース制御部、２００…移動局装置、２０１…データ制御部、２０２…送信データ変調部、２０３…無線部、２０４…スケジューリング部、２０５…チャネル推定部、２０６…受信データ復調部、２０７…データ抽出部、２０８…上位層、２０９…アンテナ、２１０…無線リソース制御部。
【図１】
0005537580.tif 000002
【図２】
0005537580.tif 000003
【図３】
0005537580.tif 000004
【図４】
0005537580.tif 000005
【図５】
0005537580.tif 000006
【図６】
0005537580.tif 000007
【図７】
0005537580.tif 000008
【図８】
0005537580.tif 000009
【図９】
0005537580.tif 000010
【図１０】
0005537580.tif 000011
【図１１】
0005537580.tif 000012
【図１２】
0005537580.tif 000013
【図１３】
0005537580.tif 000014
【図１４】
0005537580.tif 000015
【図１５】
0005537580.tif 000016
【図１６】
0005537580.tif 000017
【図１７】
0005537580.tif 000018
【図１８】
0005537580.tif 000019